(57)【特許請求の範囲】
【請求項１】
冷蔵庫本体の底面に配され、圧縮器が載置される板状部材からなる機械室台であって、その前方に底面コンデンサのためのダクトが取付られるものにおいて、
該ダクトの後方フランジが載せられる機械室台の前端部が、該後方フランジと冷蔵庫本体の底面とでダクトと機械室の間を遮断するように、凸状にビード成形され、
冷蔵庫を移動させるためのキャスタが機械室台の幅方向両端部に取付けられ、機械室台の前端部における幅方向一端部において前記機械室と前記ダクトの間の気体経路を確保するために、機械室台の前端部が当該一端部を除いて前記ビード形成され、この前端部のビードの該一端部側の端と該一端部側のキャスタ取付部とを連結するように凸状のビードを成形したことを特徴とする冷蔵庫の機械室台。
【発明の詳細な説明】
【０００１】
【発明の属する技術分野】
本発明は、冷蔵庫底部の機械室において、圧縮器等を設置するために冷蔵庫本体の底面に固定される機械室台の構造に関するものである。
【０００２】
【従来の技術】
機械室台は、冷蔵庫の底部に位置する機械室において、圧縮器や機械室放熱用ファン等が設置される台であり、冷蔵庫本体の底面に固定されるものである。
【０００３】
従来より、図６に示すように、機械室台１００には、その中央部に圧縮器１０１が支持具１０２を介して設置され、また、両端部に冷蔵庫を移動させるためのキャスタ１０３が取付けられている。また、機械室台１００の前方には、底面コンデンサ１０４を設置したダクト１０５が配され、このダクト１０５は、機械室台１００の前端部１００ａにダクト後端部１０５ａを載せてクリップ１０６等で固定することで、機械室台１００に取付けられている。
【０００４】
【発明が解決しようとする課題】
上記機械室台１００には荷重により変形しやすい箇所がある。例えば、キャスタ１０３の取付部には、冷蔵庫の重量が集中するため、その周囲は極めて変形しやすくなっている。
【０００５】
また、圧縮器１０１は、通常、４脚の支持具１０２で機械室台１００上に設置されるため、この支持具１０２の接地部にかかる荷重が大きく、その部分で変形やすくなっている。
【０００６】
また、ダクト１０５の後端部１０５ａが載せられる機械室台１００の前端部１００ａは、機械室台１００の中央部に配された圧縮器１０１の荷重により、幅方向中央部を中心として変形しやすくなっている。
【０００７】
従来、かかる機械室台の強度アップを図るために、例えば、板厚を通常の１ｍｍから１．６ｍｍに厚くする方策をとる場合があるが、この場合、板厚アップによるプレス成形機の大型化、設備変更や材料費アップ等の問題を伴なう。
【０００８】
また、機械室台に別部材の補強具を取付けて強度アップを図る場合もあるが、取付工数の増加、取付けスペースの確保、作業性の悪化、コストアップなどの問題を伴なう。
【０００９】
また、特に、上記キャスタ１０３の取付部では、その周囲の平面部を極力小さく形成することで強度アップを図ることも考えられるが、キャスタ１０３等の機械室台構成部品の取付け性のためにスペースを確保する必要がある等の理由により、十分な強度アップを図ることができないという問題がある。
【００１０】
そこで、本発明は、機械室台の荷重のかかる部分を低コストかつ容易に組立可能な構成で補強して、その変形を抑制することのできる機械室台を提供することを目的とする。
【００１１】
【課題を解決するための手段】
本発明の請求項１記載の冷蔵庫の機械室台は、冷蔵庫本体の底面に配され、圧縮器が載置される板状部材からなる機械室台であって、その前方に底面コンデンサのためのダクトが取付られるものにおいて、該ダクトの後方フランジが載せられる機械室台の前端部が、該後方フランジと冷蔵庫本体の底面とでダクトと機械室の間を遮断するように、凸状にビード成形され、冷蔵庫を移動させるためのキャスタが機械室台の幅方向両端部に取付けられ、機械室台の前端部における幅方向一端部において前記機械室と前記ダクトの間の気体経路を確保するために、機械室台の前端部が当該一端部を除いて前記ビード形成され、この前端部のビードの該一端部側の端と該一端部側のキャスタ取付部とを連結するように凸状のビードを成形したことを特徴とする。
【００１２】
請求項１の機械室台であると、冷蔵庫の重量が集中する機械室台のキャスタ周囲部がビード成形により補強されているので、荷重によるキャスタ周囲部の変形を抑制される。
【００１３】
請求項２記載の冷蔵庫の機械室台は、請求項１において、前記キャスタがその回転軸の両端部において機械室台により軸支され、前記ビードがキャスタの軸方向に平行に配設されていることを特徴とする。
【００１４】
キャスタがその回転軸の両端部において機械室台に取付けられている場合、機械室台のキャスタ周囲部は、キャスタの軸方向における撓み変形を受けやすくなるが、このようにビードをキャスタの軸方向に平行に配設することにより、かかる撓み変形を効果的に抑制することができる。
【００１８】
請求項３の機械室台であると、ダクトの後方フランジが冷蔵庫本体の底面とでシール構造となるように、機械室台の前端部を凸状にビード成形したことから、十分な強度アップが図られて、機械室台の前端部が変形しにくくなるとともに、機械室とその前方のダクトとの間を、このビード成形した部分において、遮風板などの別部材を用いることなく塞ぐことができる。また、機械室台の幅方向一端部において前方のダクトとの間に気体経路を確保する場合、前端部のビードを機械室台の全幅で設けることができず、そのため、機械室台の全幅での補強効果が得られない。そこで、上記のように、気体経路を確保している部分において、前端部のビードとキャスタの取付部とを連結するビードを設けることにより、機械室台の全幅で補強することができる。
【００２１】
【発明の実施の形態】
以下、本発明の実施形態を図面を参照して説明する。
【００２２】
図１は本発明の１実施形態に係る冷蔵庫の機械室台１０の構造を示す分解斜視図、図２は同平面図、図３は同拡大斜視図、図４は図３のＩＶ−ＩＶ断面図、図５は機械室８の縦断面図である。
【００２３】
図５に示すように、冷蔵庫底部の機械室８には圧縮器１２等が設置された機械室台１０が配されており、この機械室台１０は冷蔵庫本体６の底面の後部側に固定されている。
【００２４】
機械室台１０は、プレス成形機により成形された金属製の板状部材であり、図１に示すように、冷蔵庫の幅方向に細長い略矩形状をなし、前後方向の略中央部を幅方向に延びる凸状のビード１１により補強されている。
【００２５】
この機械室台１０には、幅方向の中央部に圧縮器１２が設置され、また、幅方向の両端部に冷蔵庫を移動させるためのキャスタ１４が取付られている。また、機械室台１０の前方には、底面コンデンサ１６ためのダクト１８が配され、更に、図２に示すように、機械室台１０の左端部（冷蔵庫正面から見て左側。以下同じ）には、機械室放熱用のファン２０が取付けられている。
【００２６】
以下に、この機械室台１０における補強構造について詳述する。
【００２７】
まず、キャスタ周囲部の補強構造について説明する。
【００２８】
キャスタ１４の取付部２２は、図１に示すように、機械室台１０の後部の幅方向の両端部に設けられており、機械室台１０の平坦部２３に対して隆起した形状に成形されている。図３，４に示すように、この取付部２２には、矩形の開口２４が設けられ、その左右の開口縁から取付フランジ２５，２５が切起しにより下方に延設されている。この左右の取付フランジ２５，２５によりキャスタ１４の回転軸１４ａの両端部が軸支されることで、キャスタ１４は、その軸方向を冷蔵庫の幅方向に向けて、上記開口２４に配設されている。
【００２９】
キャスタ１４の取付部２２には、キャスタ１４を取囲むように、下方にわずかに陥没した凹溝状のビード２６が成形されている。詳細には、図３に示すように、機械室台１０の左端部の取付部２２においては、キャスタ１４を前後に挾むように、キャスタ１４の軸方向に平行に延びるビード２６ａ，２６ａが設けられている。また、キャスタ２６の内側（右側）にもその近傍に前後方向に延びるビード２６ｂが設けられている。一方、機械室台１０の右端部の取付部２２においては、図２に示すように、キャスタ１４を前後に挾むビード２６ａ，２６ａのみが設けられている。
【００３０】
このように、冷蔵庫の重量が集中する機械室台１０のキャスタ周囲部にビード２６を成形して補強したので、別部材を用いたり、キャスタ１４の取付け性を悪化させたりすることなく、低コストかつ容易に組立て可能な構成で、キャスタ周囲部の変形を抑制することができる。
【００３１】
また、キャスタ１４を挾むように軸方向に平行にビード２６ａを配設したので、キャスタ１４の軸方向における撓み変形を受けやすいキャスタ周囲部において、かかる撓み変形を効果的に抑制することができる。
【００３２】
なお、かかるビード２６は、本実施形態のように凹状に成形する代りに、凸状に成形してもよい。但し、凹状に成形する方がキャスタ周囲部の変形に対し効果的である。
【００３３】
次に、圧縮器１２の設置部の補強構造について説明する。
【００３４】
圧縮器１２は、図１に示すように、４脚の支持具２８を介して機械室台１０上に載置されている。詳細には、圧縮器１２の底部には、円柱状の支持具２８の頭部が挿入される小孔を有する取付板３０が固設されており、また、機械室台１０の平坦部２３には、支持具２８の底部に挿入される突起３０が立設されている。そして、この突起３０に支持具２８を配して、該支持具２８の頭部を上記取付板３０の小孔に差込んで固定することにより、圧縮器１２は機械室台１０上に設置される。
【００３５】
本実施形態では、機械室台１０の平坦部２３のうち支持具２８が接地する部分が、当該支持具２８よりもやや幅広にて凹状に成形されて補強されている。詳細には、支持具２８の接地する凹状成形部３２は、下方にわずかに陥没した凹状をなしており、左右２脚の支持具２８が接地するように幅方向に細長く形成され、上記ビード１１の前後に１つずつ成形されている。
【００３６】
このように、圧縮器１２の支持具２８が接地する機械室台１０の支持具接地部を支持具２８よりもやや幅広に凹状に成形することにより、圧縮器１２の荷重がかかる部分の平面形状が小さくなるので、強度が増し、変形しにくくなる。また、かかる凹状成形部３２であれば、圧縮器１２の取付け性を損なうこともなく、低コストかつ容易に組立可能な構成で、圧縮器１２の荷重による変形を抑制することかできる。
【００３７】
次に、機械室台１０の前端部の補強構造について説明する。
【００３８】
図１に示すように、機械室台１０の前端部には凸状のビード３４が成形されており、このビード３４の上面に、底面コンデンサ１６が設置された浅い皿状のダクト１８の後方フランジ１８ａが載せられて、クリップ３６で固定されるようになっている。
【００３９】
この前端部のビード３４の突出高さは、図５に示すように、その上面に載せられたダクト１８の後方フランジ１８ａがシール材３８を介して冷蔵庫本体６の底面と当接し、これにより、このビード３４を成形した部分において、ダクト１８と機械室８との間が遮断されるように設定されている。
【００４０】
このように、機械室台１０の前端部のビード３４を、ダクト１８の後方フランジ１８ａが冷蔵庫本体６の底面とでシール構造をとるまで大きく成形したことにより、機械室台１０の前端部の十分な強度アップが図られ、圧縮器１２の荷重による機械室台１０の中央部を中心とした変形を抑制することができる。また、遮風板などの別部材を用いることなく、機械室台１０の前端部のビード成形により機械室８前面の幅方向一部を塞ぐことができるので、低コストであり、組立て作業性に優れる。
【００４１】
上記機械室台１０の前端部のビード３４は、機械室台１０の幅方向の一端部において気体経路４０を確保するために、前端部の全幅では設けられておらず、当該一端部において前端部は平坦に成形されている。すなわち、図１に示すように、ダクト１８の後方フランジ１８ａが左端部において切欠され、この切欠部１８ｂに対応するように機械室台１０の前端部の左端部にはビード３４が形成されていない。これにより、図２に示すように、ダクト１８の前面から進入した空気Ｇがダクト１８を通って上記気体経路４０より機械室８に進入し、機械室台１０の左端部に配されたファン２０に導かれて圧縮器１２に吹き当てられる。
【００４２】
本実施形態では、上記前端部のビード３４が終端するビード３４の左端部と、機械室台１０の左端部に配されたキャスタ１４の取付部２２とを連結するように、凸状のビード成形４２が施されている。すなわち、前端部のビード３４の左端部から機械室台１０の左端部のキャスタ取付部２２まで、後方かつ外方に傾斜して延びる連結ビード４２が成形されている。この連結ビード４２は、図３に示すように、キャスタ取付部２２と略同一の高さに設定されている。
【００４３】
このように、機械室８とダクト１８の間で気体経路４０を確保したことで前端部のビード３４により補強されていない部分に、当該ビード３４の終端部とキャスタ取付部２２とを連結する連結ビード４２を設けたことにより、機械室台１０の全幅での補強効果が得られる。
【００４４】
【発明の効果】
本発明の請求項１，２記載の機械室台によれば、冷蔵庫の重量が集中する機械室台のキャスタ周囲部にビード成形して補強するので、低コストかつ容易に組立可能な構成で、荷重によるキャスタ周囲部の変形を防止することができる。
【００４６】
請求項３記載の機械室台によれば、機械室台の前端部に載せられるダクトの後方フランジが冷蔵庫本体の底面とでシール構造となるように、該前端部を凸状にビード成形して補強するので、低コストかつ容易に組立可能な構成で、機械室台の前端部の変形を抑制することができる。また、遮風板などの別部材を用いることなく、機械室とダクトの間を塞ぐことができる。
【図面の簡単な説明】
【図１】本発明の１実施形態にかかる冷蔵庫の機械室台の分解斜視図である。
【図２】該機械室台の平面図である。
【図３】該機械室台の要部拡大斜視図である。
【図４】図３のＩＶ−ＩＶ断面図である。
【図５】本実施形態における冷蔵庫の底部の縦断面図である。
【図６】従来の冷蔵庫の機械室台の分解斜視図である。
【符号の説明】
６……冷蔵庫本体
８……機械室
１０……機械室台
１２……圧縮器
１４……キャスタ
１４ａ…キャスタの回転軸
１６……底面コンデンサ
１８……ダクト
１８ａ…ダクトの後方フランジ
２６……キャスタ周囲部のビード
２６ａ…キャスタの軸方向に平行なビード
２８……支持具
３２……凹状成形部
３４……前端部のビード
４０……機械室とダクトの間の気体経路
４２……連結ビード
【図１】
0003556104.tif 000002
【図２】
0003556104.tif 000003
【図３】
0003556104.tif 000004
【図４】
0003556104.tif 000005
【図５】
0003556104.tif 000006
【図６】
0003556104.tif 000007